【手続補正書】
【提出日】平成24年6月8日(2012.6.8)
【手続補正１】
【補正対象書類名】特許請求の範囲
【補正対象項目名】全文
【補正方法】変更
【補正の内容】
【特許請求の範囲】
【請求項１】
計算機式断層写真法（ＣＴ）データ集合を処理する方法であって、
ＣＴデータ集合の内部で、患者２２の血管１７２の異常及び血管１７２の内部のプラーク沈着物１７０を示す解剖学的構造を含む関心領域（ＲＯＩ）１５２〜１５８を識別するステップと、
少なくとも一つの予め決められたパラメータに対して前記ＲＯＩ１５２〜１５８を比較するステップと、
前記比較に基づいて前記ＲＯＩ１５２〜１５８の互いに関する診断重要性のレベルであって、前記異常に伴うリスクに関連する前記診断重要性のレベルを決定するステップと、
前記診断重要性のレベルに基づいて前記ＲＯＩ１５２〜１５８に順位付けするステップと、
前記ＲＯＩ１５２〜１５８の前記診断重要性のレベルを示す前記ＲＯＩ１５２〜１５８の一覧１４０を表示器４２に形成するステップであって、前記ＲＯＩはユーザ・インタフェイス４０において選択自在である、形成するステップと
前記プラーク沈着物１７０の前記血管１７２の壁に関する最大変位を示す断面ビューを識別するステップと、
該断面ビューを表示するステップ１２６と
を備えた方法。
【請求項２】
前記ユーザ・インタフェイス４０において行なわれた選択１２２の結果として前記一覧から選択されたＲＯＩ１５２〜１５８に基づいて少なくとも１枚の画像を表示するステップをさらに含んでいる請求項１に記載の方法。
【請求項３】
前記ユーザ・インタフェイス４０において行なわれた選択１２２の結果として前記一覧から選択されたＲＯＩ１５２〜１５８に基づいて少なくとも１枚の幾何学的に正確な画像を表示するステップをさらに含んでいる請求項１に記載の方法。
【請求項４】
前記ユーザ・インタフェイス４０により行なわれた選択１２２の結果として前記一覧から選択されたＲＯＩ１５２〜１５８に基づいて少なくとも１枚の幾何学的に正確な画像を表示するステップ１２６と、
前記選択されたＲＯＩ１５２〜１５８に基づいて大域的な表現を表わす少なくとも１枚の第二の画像を表示するステップ１２８と
をさらに含んでいる請求項１に記載の方法。
【請求項５】
前記ＲＯＩ１５２〜１５８が血管１７２の少なくとも１本及び該血管１７２の内部のプラーク１７０を示す解剖学的構造を含み、該順位付けは、前記プラーク１７０に関連する易破綻性に基づく、請求項１に記載の方法。
【請求項６】
前記一覧１４０は、少なくとも一つのブックマークされた一覧をさらに含み、ウィンドウの内部に表示されたリンクがプル・ダウン・メニュー、矢印、解剖学的モデル及びタブとする、請求項１に記載の方法。
【請求項７】
前記ユーザ・インタフェイス４０からの入力に基づいて、選択されたＲＯＩ１５２〜１５８を指示するステップをさらに含んでいる請求項１に記載の方法。
【請求項８】
前記ユーザ・インタフェイス４０からの入力に基づいて、少なくとも第一及び第二の血管枝１８４、１８６を有する血管分岐点１８０を示す解剖学的構造を含む選択されたＲＯＩ１５２〜１５８を指示するステップと、
前記第一及び第二の血管枝１８４、１８６の少なくとも一方の血管壁の間で最大距離を示す前記選択されたＲＯＩ１５２〜１５８の内部の最適視角１２４を識別するステップと、
該最適視角に基づいて、前記選択されたＲＯＩ１５２〜１５８の幾何学的に正確な表現を表示する最適ビュー１８２を表示するステップ１２６と
をさらに含んでいる請求項１に記載の方法。
【請求項９】
診断データ集合の内部で画像データを含み、患者２２の血管１７２の異常及び血管１７２の内部のプラーク沈着物１７０を示す解剖学的構造を含む関心領域（ＲＯＩ）１５２〜１５８を識別するプロセッサ３６であって、前記プラーク沈着物１７０の前記血管１７２の壁に関する最大変位を示す断面ビューをも識別するプロセッサ３６と、
前記プロセッサ３６に結合されており、前記ＲＯＩ１５２〜１５８の各々の易破綻性スコアを決定し、前記ＲＯＩ１５２〜１５８の各々の、前記異常に伴うリスクに関連する前記易破綻性スコアに基づいて前記ＲＯＩ１５２〜１５８の優先順位順一覧１４０を作成する優先順位決定モジュール５４と、
前記プロセッサ３６及び前記優先順位決定モジュール５４に結合されており、前記ＲＯＩ１５２〜１５８の内部の前記画像データに基づいて前記ＲＯＩ１５２〜１５８の各々について最適視角を決定する最適ビュー・モジュール５６と、
前記ＲＯＩ１５２〜１５８の各々の、前記断面ビューを含む最適視角を表示する表示モジュールと
を備えた画像を処理するシステム１０。
【請求項１０】
前記プロセッサ３６に結合されており、前記最適視角に基づいて、ＲＯＩ１５２〜１５８の内部の前記画像データの幾何学的に正確な表現を形成する最適ビュー１７４を表示する表示器４２をさらに含んでいる請求項７に記載のシステム１０。
【請求項１１】
前記プロセッサ３６に結合されており、前記ＲＯＩ１５２〜１５８の前記優先順位順一覧１４０を表示する表示器４２と、
前記優先順位順一覧１４０からＲＯＩ１５２〜１５８を選択するユーザ・インタフェイス４０と
をさらに含んでおり、
前記表示器４２は、前記ＲＯＩ１５２〜１５８に基づいて少なくとも一つのビューを表示する、
請求項７に記載のシステム１０。
【請求項１２】
前記画像データは、血管１７２の少なくとも１本及び該血管１７２の内部のプラーク１７０を示す解剖学的構造をさらに含んでおり、前記易破綻性スコアは、前記プラーク１７０に関連する易破綻性及び前記診断データ集合の内部の周囲解剖学的構造に対する前記プラーク１７０の相対的な位置の少なくとも一方に基づく、請求項７に記載のシステム１０。
【請求項１３】
画像を処理する方法であって、
診断データ集合の内部で画像データを含み、患者２２の血管１７２の異常及び血管１７２の内部のプラーク沈着物１７０を示す解剖学的構造を含む関心領域（ＲＯＩ）１５２〜１５８を識別するステップと、
前記ＲＯＩ１５２〜１５８の各々の、前記異常に伴うリスクに関連する易破綻性スコアを決定するステップと、
前記プラーク沈着物１７０の前記血管１７２の壁に関する最大変位を示す断面ビューを識別するステップと、
前記ＲＯＩ１５２〜１５８の各々に関連する易破綻性スコアに基づいて前記ＲＯＩ１５２〜１５８の優先順位順一覧１４０を作成するステップと、
前記ＲＯＩ１５２〜１５８の内部の前記画像データに基づいて前記ＲＯＩ１５２〜１５８の各々について、前記断面ビューを含む最適視角を決定するステップと、
を備えた方法。
【請求項１４】
前記優先順位順一覧１４０をブックマークするステップと、
前記優先順位順一覧１４０の少なくとも一部を表示し、前記優先順位順一覧１４０の内部の前記ＲＯＩ１５２〜１５８の各々がユーザ・インタフェイス４０を用いて選択可能である、ステップと、
をさらに含んでいる請求項１３に記載の方法。
【請求項１５】
前記画像データは少なくとも１本の血管１７２及び該血管１７２の内部のプラーク沈着物１７０を含み、前記易破綻性スコアは前記プラーク沈着物１７０が前記血管壁から転位する潜在性に基づいている、請求項１３に記載の方法。
【請求項１６】
前記画像データは少なくとも１本の血管１７２及び該血管１７２の内部のプラーク沈着物１７０を含み、前記最適視角は前記血管１７２の血管からの前記プラーク沈着物１７０の最大変位に基づいている、請求項１３に記載の方法。
【請求項１７】
前記画像データは少なくとも１本の血管１７２及び該血管１７２の内部のプラーク沈着物１７０を含み、前記最適視角は前記血管１７２の内部の最大閉塞量に基づいている、請求項１３に記載の方法。
【請求項１８】
前記画像データは少なくとも第一及び第二の血管枝１８４及び１８６を有する血管分岐点１８０を含み、前記最適視角が前記第一及び第二の血管枝１８４及び１８６の少なくとも一方の血管壁の間の最大距離に基づいている、請求項１３に記載の方法。
【請求項１９】
前記画像データは第一及び第二の血管枝１８４及び１８６を有する血管分岐点１８０を含み、前記最適視角が前記第一及び第二の血管枝１８４及び１８６の双方の血管壁の間の最大距離を表示している、請求項１３に記載の方法。
【請求項２０】
前記優先順位順一覧１４０から選択されたＲＯＩ１５２〜１５８を表示する前記ユーザ・インタフェイス４０からの入力を受け取るステップと、
前記最適視角に基づいて前記選択されたＲＯＩ１５２〜１５８を幾何学的に正確に表示するステップと、
前記選択されたＲＯＩ１５２〜１５８に基づいて、大域的画像、平面画像、幾何学的に正確な画像及び３Ｄ画像のうちのいずれか１つである、第２の画像を少なくとも表示するステップと、
をさらに含んでいる、請求項１３に記載の方法。
【請求項２１】
前記異常が前記患者２２の前記血管１７２の内部のプラーク沈着物１７０を含んでいる、請求項１に記載の方法。